(57)【要約】【課題】ワイヤー付きブラジャー以外の洗濯物を収納して洗うのに適した洗濯ネット。【解決手段】目の粗い第１ネット部材４１と、目の細やかな第２ネット部材４２とを、弾力性を備えた無数の糸部材４４で連結した立体的ネット素材４０を用いた洗濯ネットであり、目の細やかな第２ネット部材４２が外側に、目の粗い第１ネット部材４１が内側に位置するように立体的ネット素材４０を配置し、目の粗い第１ネット部材４１の内側に第１のネット部材４１より目の細やかな第３のネット部材４３を配置して、これら立体的ネット素材４０と第３のネット部材４３とで、洗濯物を入れる袋体２０を構成した。【選択図】図１１
2013162868.tif 000002
【特許請求の範囲】
【請求項１】
目の粗い第１ネット部材と、目の細やかな第２ネット部材とを、弾力性を備えた無数の糸部材で連結した立体的ネット素材を用いた洗濯ネットであって、
前記目の細やかな第２ネット部材が外側に、前記目の粗い第１ネット部材が内側に位置するように前記立体的ネット素材を配置し、前記目の粗い第１ネット部材の内側に該第１のネット部材より目の細やかな第３のネット部材を配置して、これら立体的ネット素材と第３のネット部材とで、洗濯物を入れる袋体を構成したことを特徴とする洗濯ネット。
【請求項２】
前記袋体にはギャザーが設けられていることを特徴とする請求項１記載の洗濯ネット。
【発明の詳細な説明】
【技術分野】
【０００１】
本発明は，洗濯ネットに関するものである。
【背景技術】
【０００２】
従来の洗濯ネットとして，例えば特許文献１に見られるように、目の粗い第１ネット部材（４）と、同じく目の粗い第２ネット部材（５）とを、弾力性を備えた無数の糸部材（７）で連結した立体的ネット素材を用い、この立体的ネット素材の内側に第１及び第２ネット部材（４）（５）よりも目の細やかな第３のネット部材（６）を配置して、これら立体的ネット素材と第３のネット部材（６）とで、ブラジャーを入れる袋体を構成した洗濯ネットが知られている。
このような洗濯ネットによれば、立体的ネット素材が通水性と適度な弾性および保形性を有しているとともに、袋体に収納されたブラジャーには目の細やかな第３のネット部材（６）が接触するので、ワイヤー付きブラジャーを傷めることなく良好に洗うことができる。
【先行技術文献】
【特許文献】
【０００３】
【特許文献１】実用新案登録第２５６５８６８号公報
【発明の概要】
【発明が解決しようとする課題】
【０００４】
上述した従来の洗濯ネットは、立体的ネット素材が、目の粗い第１ネット部材（４）と、同じく目の粗い第２ネット部材（５）とを、弾力性を備えた無数の糸部材（７）で連結した構造となっていて、保形性に優れ、ワイヤー付きブラジャーを形崩れなく洗うのには適しているが、ワイヤー付きブラジャー以外の洗濯物（ワイヤレスブラジャーを含む）を収納して洗うのには、保形性が強すぎて必ずしも適していないという難点がある。
本発明が解決しようとする課題は，ワイヤー付きブラジャー以外の洗濯物を収納して洗うのに適した洗濯ネットを提供することである。
【課題を解決するための手段】
【０００５】
上記課題を解決するために，本発明の洗濯ネットは，目の粗い第１ネット部材と、目の細やかな第２ネット部材とを、弾力性を備えた無数の糸部材で連結した立体的ネット素材を用いた洗濯ネットであって、
前記目の細やかな第２ネット部材が外側に、前記目の粗い第１ネット部材が内側に位置するように前記立体的ネット素材を配置し、前記目の粗い第１ネット部材の内側に該第１のネット部材より目の細やかな第３のネット部材を配置して、これら立体的ネット素材と第３のネット部材とで、洗濯物を入れる袋体を構成したことを特徴とする。
この洗濯ネットによれば，立体的ネット素材を構成する目の粗い第１ネット部材によって適度な保形性と通水性が得られると同時に、目の細やかな第２ネット部材と第３のネット部材とによって袋体内部への糸くず等の侵入を防止することができる。袋体内に収納された洗濯物と接触するのは目の細やかな第３のネット部材であるから、洗濯物を傷めにくい。
そして、立体的ネット素材は、目の細やかな第２ネット部材が外側に配置されるから、水に対する抵抗ないし水掻き作用が低下し、結果として、袋体内への糸くず等の侵入を効果的に防止することができる。
前記袋体にはギャザーが設けることができる。
このように構成すると，ギャザーを設けるという簡単な構造で袋体の立体化を図ることができる。
ギャザーを設けると、水掻き作用が高まるが、この発明によると、立体的ネット素材は、目の細やかな第２ネット部材が外側に配置されるから、ギャザーを設けることによる水掻き作用の増大を抑制でき、結果として、袋体内への糸くず等の侵入を効果的に防止することができる。
【図面の簡単な説明】
【０００６】
【図１】本発明に係る洗濯ネットの一実施の形態の斜視図。
【図２】同実施の形態に洗濯物を収容した状態を示す斜視図。
【図３】同実施の形態を示す図で、正面、平面、Ａ−Ａ断面、Ｂ−Ｂ断面、およびＣ−Ｄ部分拡大図を同時に示した図。
【図４】同実施の形態の左側面図。
【図５】同右側面図。
【図６】同底面図。
【図７】同実施の形態への洗濯物Ｗの入れ方の一例を示す斜視図。
【図８】変形例及び、該変形例への洗濯物Ｗの入れ方の一例を示す斜視図。
【図９】カップ付きウエアーＷの一例を示す正面図。
【図１０】同実施の形態で用いる立体的ネット素材の一例の一部を拡大して示す模式図で、（ａ）は平面図、（ｂ）は断面図、（ｃ）は底面図、（ｄ）は斜め下方から見た斜視図。
【図１１】同実施の形態における袋体の層構造の説明図。
【図１２】比較例における立体的ネット素材の一例の一部を拡大して示す模式図で、（ａ）は斜め上方から見た斜視図、（ｂ）は平面図、（ｃ）は断面図、（ｄ）は底面図。
【図１３】比較例における袋体の層構造の説明図。
【図１４】比較例における作用説明図。
【発明を実施するための形態】
【０００７】
以下，本発明に係る洗濯ネットの実施の形態について図面を参照して説明する。
図１、図２に示す洗濯ネット１０は、カップ付きウエアー、ワイヤレスブラジャー等の洗濯物（カップ付きウエアーを符号Ｗで示す（図９参照））を収納して洗うのに適した大きさのネット部材からなる袋体２０で構成された洗濯ネットである。
【０００８】
図１〜図３に示すように、袋体２０は、正面視で、上下の短円弧辺２１，２２と左右の長円弧辺２３，２４とを有する小判形の袋体であり、短円弧辺２１および長円弧辺２４に洗濯物（Ｗ）を出し入れするための開閉口２５が設けられている。開閉口２５は、図示はしないが、短円弧辺２１または２２にのみ設けることもでき、長円弧辺２３または２４にのみ設けることもできる。また、短円弧辺２２および長円弧辺２４（または２３）に設けることもできる。
【０００９】
上下の短円弧辺２１，２２には、その表裏両側において、中央部分に寄せ縫い２６が施されてギャザー２７が設けられ、これによって袋体２０が立体化されている。この実施の形態では、ギャザー２７は複数（図示のものは上下の短円弧辺２１，２２の両方に、かつ表裏両側に計４個）設けられているが、ギャザー２７は、上下の短円弧辺２１，２２、左右の長円弧辺２３，２４のうちの少なくとも一辺の中央部分に設ければ袋体２０を立体化することが可能である。
【００１０】
このような洗濯ネット１０によれば，カップ付きウエアーＷ等を開閉口２５から袋体２０内に入れて洗濯することができる（図２参照）。
この洗濯ネット１０は、正面視で、上下の短円弧辺２１，２２と左右の長円弧辺２３，２４とを有する小判形の袋体であり、上下の短円弧辺２１，２２には、その表裏両側において、中央部分に寄せ縫い２６が施されてギャザー２７が設けられて立体化されているから、折り畳まれて袋体２０内に収納されたカップ付きウエアーＷ等と袋体２０とがフィットしやすい（図２参照）。
【００１１】
したがって、この洗濯ネット１０によれば、カップ付きウエアーＷ等を無理なく収容して洗濯することができ、洗濯時には、カップ付きウエアーＷ等のカップ部Ｃ，Ｃがねじれにくくなり、カップ付きウエアーＷ等が洗濯ネット１０の一方に丸まった状態にもなりにくい。
すなわち、この洗濯ネット１０によれば、カップ付きウエアーＷ等を収納して好適に洗うことができる。
なお、ギャザー２７は、上下の短円弧辺２１，２２、左右の長円弧辺２３，２４のうちの少なくとも一辺の中央部分に設ければ袋体２０を立体化することが可能であるから、複数個のギャザー２７を設けた場合ほどではないにせよ、同様の効果は得られる。
【００１２】
開閉口２５は、袋体２０にカップ付きウエアーＷ等を出し入れすることができる位置であれば任意の位置に設けることができるが、一つの望ましい構成は、図１〜図５に示すように、上の短円弧辺２１から一方の長円弧辺（図示のものは２４）の少なくとも中央部２４ｃまで延び、かつ、下の短円弧辺２２までは延びない開閉口２５とし、図１、図７に示すように、開閉口２５を一杯に開いた際にも開閉口２５より下方に袋状部２８が形成される構成とすることである。
【００１３】
このように構成すると、図７に示すように、折り畳んだカップ付きウエアーＷ等を開閉口２５から下方へ向けて洗濯ネット１０に入れる際、開閉口２５より下方に形成されている袋状部２８が、該袋状部２８に入ったカップ付きウエアーＷ等を保持する役割を果たすから、洗濯ネット１０を片手で持った状態で、カップ付きウエアーＷ等を入れやすくなる。
例えば洗濯ネット１０の上部をつかんで、立ったままでもカップ付きウエアーＷ等を容易に入れることができる。
【００１４】
開閉口２５のもう一つの望ましい構成は、図８に示すように、左右いずれかの長円弧辺（図示のものは２３）から上下の短円弧辺２１，２２にまたがって開閉口２５を設けた構成である。
このように構成すると、開閉口２５を大きく開いた状態で、カップ付きウエアーＷ等を洗濯ネット１０内に容易に入れることが可能になる。
【００１５】
開閉口２５の開閉手段は、任意の構成（ボタン、ホック、面ファスナー等）を採用することができるが、この実施の形態では、スライドファスナー３０を用いている。３１はスライダーであり、３２は、開閉口２５を閉じた際にスライダー３１を覆うようにして収容するゴムベルトである。
【００１６】
この実施の形態の洗濯ネット１０は、図１０に示すように、目の粗い第１ネット部材４１と、目の細やかな第２ネット部材４２とを、弾力性を備えた無数の糸部材４４で連結した立体的ネット素材（いわゆるダブルラッセル）４０を用いた洗濯ネットである。
図１１にも示すように、立体的ネット素材４０は、目の細やかな第２ネット部材４２が袋体２０の外側に、目の粗い第１ネット部材４１が袋体２０の内側に位置するように配置し、目の粗い第１ネット部材４１の内側に該第１のネット部材４１より目の細やかな第３のネット部材４３（図１１）を配置して、これら立体的ネット素材４０と第３のネット部材４３とで、洗濯物を入れる袋体２０を構成している。
【００１７】
この洗濯ネット１０によれば，立体的ネット素材４０を構成する目の粗い第１ネット部材４１によって適度な保形性と通水性が得られると同時に、目の細やかな第２ネット部材４２と第３のネット部材４３とによって袋体２０内部への糸くず等の侵入を防止することができる。袋体２０内に収納された洗濯物（Ｗ）と接触するのは目の細やかな第３のネット部材４３であるから、洗濯物（Ｗ）を傷めにくい。したがって、第３のネット部材４３は目の細やかな第２ネット部材４２より目の細かなものとすることが望ましい。
そして、立体的ネット素材４０は、目の細やかな第２ネット部材４２が外側に配置されるから、水に対する抵抗ないし水掻き作用が低下し、結果として、袋体２０内への糸くず等の侵入を効果的に防止することができる。
【００１８】
一般にダブルラッセルと称される立体的ネット素材４０の保形性は、第１および／または第２ネット部材４２の目の粗さを変えることで調整でき、目の粗さを大きくすれば保形性は増し、目の粗さを細かくすれば保形性は低減する。また、目の粗さを大きくすれば通水性は高くなり、目の粗さを細かくすれば通水性は低下する。
【００１９】
袋体２０に関する適度な保形性、通水性、および糸くず等の侵入防止性を考慮すれば、袋体２０を構成するに際し、図１２、図１３に示すように、立体的ネット素材４０は、目の細やかな第２ネット部材４２が内側に、目の粗い第１ネット部材４１が外側に位置するように配置し、目の細やかな第２ネット部材４２の内側に該第２ネット部材４２と同等またはより目の細やかな第３のネット部材４３を配置した構成とすることも可能である。
【００２０】
しかし、そのような構成の袋体２０’を用いた洗濯ネットとした場合、本件出願人の実験によると、目の細やかな第２ネット部材４２と第３のネット部材４３との間Ｓ（図１３、図１４）に、綿埃状のもの（綿埃及び細い糸くず等）が入り込み、洗濯の回数を重ねると、第２ネット部材４２と第３のネット部材４３との間Ｓに、綿埃状のものが蓄積されるという問題が生じることが分かった。
【００２１】
その理由は必ずしも明かとは言えないが、上記構成の袋体２０’を用いた洗濯ネットで洗濯を行うと、目の粗い第１ネット部材４１は通水性に優れており、かつその網目をなす枠部４１ｂ（図１２、図１４）と目の細やかな第２ネット部材４２とが多数の糸部材４４で連結されていることから、袋体２０の’表面に、水が入り込みやすい多数の凹部４５（図１２、図１４）が形成され、それらの凹部４５が図１４に矢印Ｐで示すように水を掻く作用をなし、この水掻き作用によって凹部４５内の水圧が高まり、その水圧によって、綿埃状のものが、矢印Ｄで示すように目の細やかな第２ネット部材４２と第３のネット部材４３との間Ｓに押し込まれるからである、と考えられる。
【００２２】
これに対し、この実施の形態の洗濯ネット１０によれば，第２ネット部材４２と第３のネット部材４３との間に、綿埃状のものが蓄積されるという現象は見られなかった。その理由は、立体的ネット素材４０は、目の細やかな第２ネット部材４２が外側に配置されるから、水に対する抵抗ないし上述した水掻き作用が低下し（図１１の矢印Ｐ’参照）、結果として、袋体２０内への綿埃状のものの押し込み作用が低減されるからであると考えられる。
【００２３】
特にこの実施の形態のように、袋体２０にギャザー２７を設けると、ギャザー２７の凹凸部分において水掻き作用が高まるが、この実施の形態によると、立体的ネット素材４０は、目の細やかな第２ネット部材４２が外側に配置されるから、ギャザー２７を設けることによる水掻き作用の増大を抑制でき、結果として、袋体２０内への糸くず等の侵入を効果的に防止することができる。
また、この実施の形態によると、袋体２０の外側に配置されるネット部材は、目の細やかな第２ネット部材４２であるので、洗濯ネット１０外の洗濯物も傷めにくくなる。
【００２４】
以上，本発明の実施の形態について説明したが，本発明は上記の実施の形態に限定されるものではなく，本発明の要旨の範囲内において適宜変形実施可能である。例えば、上記の実施の形態では、洗濯ネット１０は、カップ付きウエアーＷ等を洗うのに適したものとして構成したが、この発明の洗濯ネットは、他の洗濯物（例えばランジェリー類一般）を洗濯するのに適した形状（例えば、球状、円筒状、角箱形状、薄板形状）とすることもできる。
【符号の説明】
【００２５】
Ｗ    洗濯物
１０    洗濯ネット
２０    袋体
２７    ギャザー
４０    立体的ネット素材
４１    目の粗い第１ネット部材
４２    目の細やかな第２ネット部材
４３    第３のネット部材
４４    糸部材
【図１】
2013162868.tif 000003
【図２】
2013162868.tif 000004
【図３】
2013162868.tif 000005
【図４】
2013162868.tif 000006
【図５】
2013162868.tif 000007
【図６】
2013162868.tif 000008
【図７】
2013162868.tif 000009
【図８】
2013162868.tif 000010
【図９】
2013162868.tif 000011
【図１０】
2013162868.tif 000012
【図１１】
2013162868.tif 000013
【図１２】
2013162868.tif 000014
【図１３】
2013162868.tif 000015
【図１４】
2013162868.tif 000016